(57)【特許請求の範囲】
【請求項１】
ＬＥＤ照明器具であって、
熱伝導性を有し、ＬＥＤが固定され、支持体上に立設されるＬＥＤ固定板と、
前記支持体上において、前記ＬＥＤ固定板の前記支持体側の端部に連結され、前記支持体から離れるほど前記ＬＥＤ固定板からの距離が大きくなるように形成される、前記ＬＥＤに対して凹である曲面の反射面を備え、前記反射面が前記ＬＥＤから放射された光を前記支持体とは反対の側に反射し、かつ前記ＬＥＤ固定板との連結部の前記支持体側の面が、前記支持体の表面に接触した状態で前記連結部を貫通するねじによって前記支持体に固定される反射鏡と、
前記反射鏡の、前記反射面とは反対側の面から外側に延出される複数の放熱フィンと、を備え、
前記ＬＥＤ固定板における、前記反射鏡の反射面に対向する表面に前記ＬＥＤが固定され、前記ＬＥＤ固定板の、前記反射鏡の反射面に対向する表面とは反対側の面である裏面にはＬＥＤが設けられず、前記ＬＥＤ固定板の裏面は大気に接しており、かつ前記ＬＥＤ固定板の裏面の側には反射鏡は設けられず、
前記複数の放熱フィンの各々の延出長は、前記反射鏡の、前記支持体から遠い側の端部から前記支持体に向かって漸次大となるように設定され、かつ前記複数の放熱フィンのうちの、前記反射鏡の前記支持体から遠い側の端部に最も近い放熱フィンを除く他の放熱フィンの各々は、前記反射鏡の前記支持体から遠い側の端部に最も近い放熱フィンの先端よりも外側には突出せず、
前記ＬＥＤ固定板、前記連結部、前記反射鏡および前記放熱フィンによって、前記ＬＥＤ固定板における、前記反射鏡の反射面に対向する表面に固定されている前記ＬＥＤの熱の放熱経路が形成されるＬＥＤ照明器具。
【請求項２】
請求項１に記載のＬＥＤ照明器具において、
前記複数の放熱フィンのうちの、前記反射鏡の、前記支持体から遠い側の端部に最も近い放熱フィンを除く他の放熱フィンの各々の先端は、前記反射鏡の、前記支持体から遠い側の端部から前記支持体に向って、漸次内側に位置するＬＥＤ照明器具。
【請求項３】
請求項１に記載のＬＥＤ照明器具において、
前記複数の放熱フィンの各々は、各放熱フィンの先端が同一の平面上に沿うように設けられるＬＥＤ照明器具。
【発明の詳細な説明】
【技術分野】
【０００１】
本発明は、ＬＥＤ照明器具に関する。
【背景技術】
【０００２】
従来、複数の放熱フィンを有し、各放熱フィンの延出長さが同一となるように構成された照明器具が提案されている（例えば、特許文献１参照）。
【先行技術文献】
【特許文献】
【０００３】
【特許文献１】特開２００８−２２６７８８号公報（図２、図４、図６）
【発明の概要】
【発明が解決しようとする課題】
【０００４】
しかしながら、特許文献１においては、放熱フィンが大型化するという問題があった。
【０００５】
本発明は、従来の問題を解決するためになされたもので、放熱フィンを小型化できるＬＥＤ照明器具を提供することを目的とする。
【課題を解決するための手段】
【０００６】
本発明のＬＥＤ照明器具は、ＬＥＤ照明器具であって、熱伝導性を有し、ＬＥＤが固定され、支持体上に立設されるＬＥＤ固定板と、前記支持体上において、前記ＬＥＤ固定板の前記支持体側の端部に連結され、前記支持体から離れるほど前記ＬＥＤ固定板からの距離が大きくなるように形成される、前記ＬＥＤに対して凹である曲面の反射面を備え、前記反射面が前記ＬＥＤから放射された光を前記支持体とは反対の側に反射し、かつ前記ＬＥＤ固定板との連結部の前記支持体側の面が、前記支持体の表面に接触した状態で前記連結部を貫通するねじによって前記支持体に固定される反射鏡と、前記反射鏡の、前記反射面とは反対側の面から外側に延出される複数の放熱フィンと、を備え、前記ＬＥＤ固定板における、前記反射鏡の反射面に対向する表面に前記ＬＥＤが固定され、前記ＬＥＤ固定板の、前記反射鏡の反射面に対向する表面とは反対側の面である裏面にはＬＥＤが設けられず、前記ＬＥＤ固定板の裏面は大気に接しており、かつ前記ＬＥＤ固定板の裏面の側には反射鏡は設けられず、前記複数の放熱フィンの各々の延出長は、前記反射鏡の、前記支持体から遠い側の端部から前記支持体に向かって漸次大となるように設定され、かつ前記複数の放熱フィンのうちの、前記反射鏡の前記支持体から遠い側の端部に最も近い放熱フィンを除く他の放熱フィンの各々は、前記反射鏡の前記支持体から遠い側の端部に最も近い放熱フィンの先端よりも外側には突出せず、前記ＬＥＤ固定板、前記連結部、前記反射鏡および前記放熱フィンによって、前記ＬＥＤ固定板における、前記反射鏡の反射面に対向する表面に固定されている前記ＬＥＤの熱の放熱経路が形成されるものである。
【０００７】
また、本発明のＬＥＤ照明器具は、前記複数の放熱フィンのうちの、前記反射鏡の、前記支持体から遠い側の端部に最も近い放熱フィンを除く他の放熱フィンの各々の先端は、前記反射鏡の、前記支持体から遠い側の端部から前記支持体に向って、漸次内側に位置するものである。
【０００８】
また、本発明のＬＥＤ照明器具は、前記複数の放熱フィンの各々は、各放熱フィンの先端が同一の平面上に沿うように設けられるものである。
【発明の効果】
【００１０】
本発明のＬＥＤ反射板ユニットおよびＬＥＤ照明器具は、反射鏡における放熱フィンの延出長さが、反射鏡の先端から基部に近いものほど漸次大となるため、放熱フィンを小型化できる。
【図面の簡単な説明】
【００１１】
【図１】本発明に係る第１実施形態のＬＥＤ反射板ユニットおよびＬＥＤ照明器具を示す側断面図
【図２】本発明に係る第２実施形態のＬＥＤ反射板ユニットおよびＬＥＤ照明器具を示す側断面図
【発明を実施するための形態】
【００１２】
以下、本発明の実施形態のＬＥＤ反射板ユニットおよびＬＥＤ照明器具について、図面を用いて説明する。
（第１実施形態）
図１に示すように、本発明に係る第１実施形態のＬＥＤ反射板ユニット１０は、熱伝導性を有するとともに、ＬＥＤ１１を固定するＬＥＤ固定板１２と、ＬＥＤ固定板１２に連結され、ＬＥＤ１１から放射された光を反射する反射鏡１３とを有している。ＬＥＤ固定板１２と、反射鏡１３とによって、放熱経路が形成される。
【００１３】
また、このＬＥＤ反射板ユニット１０は、反射鏡１３におけるＬＥＤ１１の反対面１４に設けられ、当該反対面１４に対する延出長さＬ１が、反射鏡１３の先端１５から基部１６に近いものほど、漸次大となる複数の放熱フィン１７を備えている。換言すれば、放熱フィン１７の延出長さＬ１は、反射鏡１３の基部１６から先端１５に近いものほど、漸次小となる。
【００１４】
ＬＥＤ固定板１２は、平板状に形成されている。反射鏡１３は、ＬＥＤ１１に対して凹となるように湾曲形成されている。また、反射鏡１３の先端１５は、基部１６より、ＬＥＤ固定板１２との間隔が大となるように形成されている。各放熱フィン１７は、ＬＥＤ固定板１２に対して垂直方向に延出され、互いに平行になるように形成されている。
【００１５】
ＬＥＤ固定板１２、反射鏡１３、および放熱フィン１７は、熱伝導性の高い材料、例えばアルミニウム等によって形成するのが好ましい。
【００１６】
ＬＥＤ固定板１２と反射鏡１３との一端部は、固定部である連結板１８によって連結されている。連結板１８は、ＬＥＤ照明器具１９における支持体２０にねじ２１によって固定されている。
【００１７】
以上、説明した本発明に係る第１実施形態のＬＥＤ反射板ユニット１０および照明器具１９によれば、反射鏡１３における放熱フィン１７の延出長さＬ１が、反射鏡１３の先端１５から基部１６に近いものほど、漸次大となる。このため、放熱フィン１７、ＬＥＤ反射板ユニット１０および照明器具１９を小型化できる。
【００１８】
また、ＬＥＤ固定板１２と反射鏡１３との連結板１８に、外部の支持体２０に対する固定部が設けられているため、さらにコンパクトにできる。
【００１９】
（第２実施形態）
図２は、本発明の第２実施形態のＬＥＤ反射板ユニット３０およびＬＥＤ照明器具４０の側面図である。なお、第１実施形態と同様の部材には同一の符号を付けて詳細な説明を省略する。
【００２０】
このＬＥＤ反射板ユニット３０における各放熱フィン３１は、その先端３２が、ＬＥＤ固定板１２におけるＬＥＤ１１の取付面３３に対して平行面３４上に沿って配置されている。従って、ＬＥＤ固定板１２と放熱フィン３１の先端３２との間の距離Ｌ２は、すべての放熱フィン３１において同一となる。
【００２１】
以上、説明した本発明に係る第２実施形態のＬＥＤ反射板ユニット３０およびＬＥＤ照明器具４０によれば、各放熱フィン３１の先端３２は、ＬＥＤ固定板１２におけるＬＥＤ１１の取付面３３に対して平行面３４上に沿って配置されている。従って、放熱フィン３１、ＬＥＤ反射板ユニット３０およびＬＥＤ照明器具４０をコンパクトにできる。
【符号の説明】
【００２２】
１０、３０  ＬＥＤ反射板ユニット
１２  ＬＥＤ固定板
１３  反射鏡
１４  ＬＥＤの反対面
１５、３２  先端
１６  基部
１７、３１  放熱フィン
１８  連結板
１９、４０  ＬＥＤ照明器具
２０  支持体
３３、３４  取付面
【図１】
0005919550.tif 000002
【図２】
0005919550.tif 000003